(57)【要約】【課題】塗布ブラシを用いて容器内のマニキュア液を使い切ることが可能なマニキュア液塗布具を提供する。【解決手段】このマニキュア液塗布具１は、マニキュア液Ｍを収容する容器２と、容器２に装着可能なキャップ３と、を備えたものにおいて、キャップ３は、大略箱状をなし容器２に密接して装着されるキャップ本体４と、塗布ブラシ５３ａが設けられた塗布軸５３を下方に固着してスライド可能に配設され、かつ押し操作毎にスライド方向における通常位置とその通常位置より容器２側の前進位置との間で交互に位置を変えその位置が保持されるようにキャップ本体４に支持される押しボタン部材５と、押しボタン部材５を前進位置から通常位置に向かって付勢するバネ部材６と、押しボタン部材５とキャップ本体４との間に形成される隙間を閉塞する環状形状のシール部材７と、を有する。【選択図】図１
2012120550.tif 000002
【特許請求の範囲】
【請求項１】
マニキュア液を収容する上部に開口部を有した容器と、先端に塗布ブラシが設けられた塗布軸を有し、該塗布ブラシと塗布軸を該容器に収容した状態で該容器の開口部を閉塞するようにして装着可能なキャップと、を備えたマニキュア液塗布具において、
前記キャップは、
上部挿通孔を有する上方壁部と、下部挿通孔を有する下方壁部と、これら壁部とともに内空部を形成する側壁部と、により大略箱状をなし、下方壁部側が前記容器に密接して装着されるキャップ本体と、
前記塗布ブラシが設けられた塗布軸を下方に固着して前記上部挿通孔にスライド可能に配設され、かつ押し操作毎にスライド方向における通常位置とその通常位置より容器側の前進位置との間で交互に位置を変えその位置が保持されるように前記キャップ本体に支持される押しボタン部材と、
前記押しボタン部材を前進位置から通常位置に向かって付勢するバネ部材と、
平面視が環状形状で側面視が略筒状であって、前記キャップ本体と前記押しボタン部材の間に設けられ、少なくとも前記押しボタン部材が通常位置のときに、前記押しボタン部材と前記キャップ本体との間に形成される隙間を閉塞するシール部材と、を有することを特徴とするマニキュア液塗布具。
【請求項２】
請求項１に記載のマニキュア液塗布具において、
前記シール部材は、蛇腹状のものであって、環状形状の両端がそれぞれ前記キャップ本体と前記押しボタン部材に固着されていることを特徴とするマニキュア液塗布具。
【請求項３】
請求項１に記載のマニキュア液塗布具において、
前記シール部材は、弾性体であって、環状形状の両端のいずれかが前記キャップ本体と前記押しボタン部材に固着されていることを特徴とするマニキュア液塗布具。
【発明の詳細な説明】
【技術分野】
【０００１】
本発明は、容器とキャップを備え、キャップに付いている塗布ブラシにより爪にマニキュア液を塗布するマニキュア液塗布具に関する。
【背景技術】
【０００２】
マニキュア液塗布具の広く用いられている形態は、マニキュア液を収容する容器と、その容器の開口部を閉塞するようにして装着可能なキャップと、からなり、そのキャップが塗布軸を有し、塗布軸の先端に塗布ブラシが設けられているものである。このものは、キャップを容器に装着すると塗布ブラシがマニキュア液に浸ることになり、キャップを容器から外して塗布ブラシに浸透したマニキュア液を爪に塗布して使用する。
【０００３】
しかし、容器内のマニキュア液が残り少なくなると、容器の内壁には塗布ブラシが届き難いところ（例えば、底面や側面下部）が存在する場合が多く、そのような場合にはマニキュア液を使い切ることは非常に難しくなる。このために、従来より、いくつかの提案がなされている。特許文献１には、容器内のマニキュア液を貯蔵する部分の形状を最底部に向かってすり鉢状に傾斜をつけることで、マニキュア液が最底部に集まるようにしたものが記載されている。特許文献２には、容器の中に入れた綿毛の浮き玉でマニキュア液を吸収させ、塗布ブラシで浮き玉を撫でたり転がしたりするようにしたものが記載されている。特許文献３には、容器の内部の塗布ブラシが届く高さに、マニキュア液の残液を受けることができるように形成された受け部を内接したものが記載されている。
【先行技術文献】
【特許文献】
【０００４】
【特許文献１】特開２００６−２０４８５９号公報
【特許文献２】実用新案登録第３１１７９０２号公報
【特許文献３】特開２００８−２６４４６６号公報
【発明の概要】
【発明が解決しようとする課題】
【０００５】
しかしながら、特許文献１と特許文献３のようなマニキュア液塗布具は、現実には、マニキュア液の粘性が大きいために容器の内壁に付着したものまでも塗布ブラシを用いて十分に使い切ることは容易ではない。特許文献２のようなマニキュア液塗布具は、浮き球の吸収できるマニキュア液の量には限界が有り、また、容器の内壁の塗布ブラシが届き難いところまで塗布ブラシを用いて浮き球を動かしマニキュア液を十分に吸収するのは困難である。
【０００６】
本発明は、係る事由に鑑みてなされたものであり、その目的は、塗布ブラシを用いて容器内のマニキュア液を十分に使い切ることが可能なマニキュア液塗布具を提供することにある。
【課題を解決するための手段】
【０００７】
上記目的を達成するために、請求項１に記載のマニキュア液塗布具は、マニキュア液を収容する上部に開口部を有した容器と、先端に塗布ブラシが設けられた塗布軸を有し、該塗布ブラシと塗布軸を該容器に収容した状態で該容器の開口部を閉塞するようにして装着可能なキャップと、を備えたマニキュア液塗布具において、前記キャップは、上部挿通孔を有する上方壁部と、下部挿通孔を有する下方壁部と、これら壁部とともに内空部を形成する側壁部と、により大略箱状をなし、下方壁部側が前記容器に密接して装着されるキャップ本体と、前記塗布ブラシが設けられた塗布軸を下方に固着して前記上部挿通孔にスライド可能に配設され、かつ押し操作毎にスライド方向における通常位置とその通常位置より容器側の前進位置との間で交互に位置を変えその位置が保持されるように前記キャップ本体に支持される押しボタン部材と、前記押しボタン部材を前進位置から通常位置に向かって付勢するバネ部材と、平面視が環状形状で側面視が略筒状であって、前記キャップ本体と前記押しボタン部材の間に設けられ、少なくとも前記押しボタン部材が通常位置のときに、前記押しボタン部材と前記キャップ本体との間に形成される隙間を閉塞するシール部材と、を有することを特徴とする。
【０００８】
請求項２に記載のマニキュア液塗布具は、請求項１に記載のマニキュア液塗布具において、前記シール部材は、蛇腹状のものであって、環状形状の両端がそれぞれ前記キャップ本体と前記押しボタン部材に固着されていることを特徴とする。
【０００９】
請求項３に記載のマニキュア液塗布具は、請求項１に記載のマニキュア液塗布具において、前記シール部材は、弾性体であって、環状形状の両端のいずれかが前記キャップ本体と前記押しボタン部材に固着されていることを特徴とする。
【発明の効果】
【００１０】
本発明のマニキュア液塗布具によれば、マニキュア液が残り少なくなったとき、押しボタン部材を通常位置から前進位置に移動させてキャップ本体から塗布ブラシまでの距離を長くすることで、通常であれば塗布ブラシが届き難いところに残っている、或いは付着しているマニキュア液を拭き取ることができ、マニキュア液を十分に使い切ることができる。
【図面の簡単な説明】
【００１１】
【図１】本発明の実施形態に係るマニキュア液塗布具１を示す模式的な断面図である。
【図２】同上のマニキュア液塗布具１のキャップ本体４を示すものであって、（ａ）が平面図、（ｂ）が断面図である。
【図３】同上のマニキュア液塗布具１の掛止部４２を示す拡大平面形状図である。
【図４】同上のマニキュア液塗布具１のシール部材７を示すものであって、（ａ）が平面図、（ｂ）が側面図、（ｃ）が断面図である。
【図５】同上のマニキュア液塗布具１の使用状態を示す断面図である。
【図６】同上のマニキュア液塗布具１の変形例を示す断面図である。
【図７】同上のマニキュア液塗布具１の別の変形例のシール部材７’ を示すものであって、（ａ）が平面図、（ｂ）が側面図、（ｃ）が断面図である。
【図８】同上のマニキュア液塗布具１の別の変形例を示す断面図である。
【発明を実施するための形態】
【００１２】
以下、本発明を実施するための好ましい形態を図面を参照しながら説明する。本発明の実施形態に係るマニキュア液塗布具１は、図１に示すように、マニキュア液Ｍを収容し、置いたときに上部に位置する開口部２ａを有した容器２と、先端に塗布ブラシ５３ａが設けられた塗布軸５３を有し、塗布ブラシ５３ａと塗布軸５３を容器２に収容した状態で容器２の開口部２ａを閉塞するようにして装着可能なキャップ３と、を備えている。
【００１３】
容器２は、その形状は特に限定されるものではないが、典型的には、開口部２ａ近傍が小径の円筒状であり、それよりも底部側が大径の略球状或いは略円筒状となっている。この開口部２ａ近傍の円筒状部分の外側面には、キャップ３を装着するための雄ねじ２１が形成されている。
【００１４】
キャップ３は、キャップ本体４と、押しボタン部材５と、バネ部材６と、シール部材７と、を有しており、その全体形状は、例えば略円筒状である。
【００１５】
キャップ本体４は、キャップ３の外郭の大半を成すものであり、上部挿通孔４０ａを有する上方壁部４ａと、下部挿通孔４０ｃを有する下方壁部４ｃと、これら壁部４ａ、４ｃとともに内空部４０ｂを形成する側壁部４ｂと、により大略箱状をなしている。従って、上部挿通孔４０ａ、内空部４０ｂ、下部挿通孔４０ｃは連通している（図２参照）。この下方壁部４ｃは、端面から凹所が形成されてその内周面に、容器２の雄ねじ２１と螺合する雌ねじ４１が形成されている。また、雌ねじ４１の最奥部には環状のパッキン４Ａが嵌め込まれている。従って、雄ねじ２１と雌ねじ４１が深く締め合わされると、それらの間から気体が漏れないように、キャップ本体４は容器２に密接して装着される。
【００１６】
更に詳細には、内空部４０ｂは、その側壁部４ｂの内側面に後述のピン５２ａの先端部５２ａａを掛止可能な掛止部４２が設けられており、また、バネ部材６も配設されている。これらによって、後で詳述するように、押しボタン部材５の押し操作毎に、押しボタン部材５がスライド方向（軸方向）における通常位置と通常位置より容器２側の前進位置との間で交互に位置を変えその位置が保持される。
【００１７】
掛止部４２は、詳細には、キャップ本体４の内空部４０ｂを形成する側壁部４ｂの内側面の一部に設けられており、後述のピン５２ａの先端部５２ａａが垂直に、かつ、その端面が底面に接触するように差し込まれる溝４２ａが形成されている。溝４２ａの平面形状は、図３に示すように、ピン５２ａの先端部５２ａａが一方向に周回移動可能で、かつ異なる２位置（前述した押しボタン部材５の前進位置と通常位置にそれぞれ対応する前進位置保持位置４２ａａと通常位置保持位置４２ａｂ）で停止する周回状になっている。掛止部４２の中央には、溝４２ａを周回状に形成し、また、前進位置保持位置４２ａａを形成するための障壁４２ｂが設けられている。溝４２ａの前進位置保持位置４２ａａと通常位置保持位置４２ａｂをつなぐ周回経路には、ピン５２ａの先端部５２ａａがそれぞれ一方向に移動し、逆方向に移動しないように、底部に段差４２ａｃ、４２ａｄ、４２ａｅ、４２ａｆが設けられている。図３に示すものは、ピン５２ａの先端部５２ａａが反時計まわりの周回状に移動するものであり、前進位置保持部分４２ａａと通常位置保持部分４２ａｂに描かれている破線の円はピン５２ａの先端部５２ａａの移動軌跡を示しており、矢印付き破線はピン５２ａの先端部５２ａａの移動の様子を示している。
【００１８】
押しボタン部材５は、図１に示すように、塗布ブラシ５３ａが設けられた塗布軸５３を下方に固着したスライド部５１を有しており、このスライド部５１は、キャップ本体４の上部挿通孔４０ａにスライド可能に配設され、かつ押し操作毎にスライド方向における通常位置と前進位置との間で交互に位置を変えその位置が後述の被掛止部５２と前述の掛止部４２により保持されるようにキャップ本体４に支持される。なお、スライド部５１が配設されているキャップ本体４の上部挿通孔４０ａと内空部４０ｂ、及び塗布軸５３が挿通している下部挿通孔４０ｃにおいて、押しボタン部材５とキャップ本体４の間には隙間が生じる。
【００１９】
被掛止部５２は、詳細には、先端部５２ａａが折れ曲がるようにして形成されたピン５２ａと、ピン５２ａの基端が取り付けられているピン取付突出部５２ｂを有している。ピン５２ａの基端は、その先端部５２ａａが掛止部４２の溝４２ａに沿って周回移動できるように、揺動可能に（図１において先端部５２ａａが紙面に対して垂直方向に揺動可能に）ピン取付突出部５２ｂに取り付けられている。
【００２０】
バネ部材６は、押しボタン部材５を前進位置から通常位置に向かって付勢するものである。バネ部材６は、その長さ方向（伸縮方向）がキャップ３の軸方向（キャップ３の容器２への装着の方向）、すなわち上記スライド方向と一致し、一端がキャップ本体４の下方壁部４ｃの上面（内空部４０ｂの内壁底面）に、他端が押しボタン部材５のスライド部５１の下面に当接しており、圧縮状態にあって押しボタン部材５を前進位置から通常位置に向かって付勢する。なお、図１（及び後述の図５、図６、図８）においてバネ部材６は、螺旋形状に模式的に描いている。
【００２１】
これらの掛止部４２と被掛止部５２とバネ部材６によって押しボタン部材５が通常位置と前進位置に保持される詳細は、以下のとおりである。すなわち、押しボタン部材５が通常位置に有ってピン５２ａの先端部５２ａａが通常位置保持位置４２ａｂに有るとき（図３参照）、押しボタン部材５の押し操作により、ピン５２ａの先端部５２ａａは、通常位置保持位置４２ａｂから離れ、溝４２ａの形状に沿いながら前進位置保持位置４２ａａの近傍に移動する。そして、押し操作をやめると、すなわち押しボタン部材５をフリー状態にすると、バネ部材６は少し伸張し、ピン５２ａの先端部５２ａａが前進位置保持位置４２ａａまで移動し止まって、押しボタン部材５は前進位置に保持される。次に、再度の押しボタン部材５の押し操作により、ピン５２ａの先端部５２ａａは、前進位置保持位置４２ａａから離れ、その近傍に移動する。そして、押し操作をやめると、すなわち押しボタン部材５をフリー状態にすると、バネ部材６は大きく伸張し、溝４２ａの形状に沿いながら通常位置保持位置４２ａｂまで移動して止まり、押しボタン部材５は通常位置に保持される。
【００２２】
次に、シール部材７を説明する。シール部材７は、平面視が環状形状で側面視が略筒状であって、キャップ本体４と押しボタン部材５の間に設けられ、少なくとも押しボタン部材５が通常位置のときに、押しボタン部材５とキャップ本体４との間に形成される隙間を閉塞するものである。
【００２３】
より詳細には、シール部材７は、蛇腹状のもの、すなわち、可撓性の有る筒状のシート材に多数の山部７ａと谷部７ｂが長さ方向（伸縮方向）に交互に形成されることによって伸縮自在に構成されているものが適用可能である（図４参照）。この蛇腹状のシール部材７は、その長さ方向の両端７ｃ、７ｄがそれぞれ隙間なくキャップ本体４の下方壁部４ｃの上面と、押しボタン部材５のスライド部５１の下面に固着しており、押しボタン部材５が前進位置に有るときシール部材７は圧縮状態、押しボタン部材５が通常位置に有るとき、シール部材７は伸張状態となっている。蛇腹状のシール部材７は、押しボタン部材５の動作に追従して形を変え、バネ部材６の付勢力にはほとんど影響しない。
【００２４】
次に、マニキュア液塗布具１の使用方法について説明する。キャップ３を容器２に装着するときは、押しボタン部材５を通常位置にしておいてキャップ本体４から塗布ブラシ５３ａまでの距離を短くしておく。この装着状態では、螺合したキャップ本体４の雌ねじ４１と容器２の雄ねじ２１、及びシール部材７により、容器２の内部の気密性は保たれる。それによって、マニキュア液Ｍに含まれる有機溶剤などが揮発して外部に漏れるのを抑止し、安全かつ衛生的に、及び、マニキュア液Ｍの粘度が経時的に変化するのを抑制することができる。
【００２５】
マニキュア液Ｍを爪に塗布するとき、マニキュア液Ｍが残り少ない場合は、キャップ３を容器２から外した後に、押しボタン部材５を前進位置にして、キャップ本体４から塗布ブラシ５３ａまでの距離を長くする。そして、図５に示すように、押しボタン部材５が通常位置のままでは塗布ブラシ５３ａが届き難いところに付着しているマニキュア液Ｍを塗布ブラシ５３ａで拭き取り、それを爪に塗布する。このように、簡単な押し操作により、マニキュア液Ｍを十分に使い切ることができる。
【００２６】
なお、マニキュア液Ｍの残りが多い場合は、キャップ３を容器２に装着している状態で塗布ブラシ５３ａがマニキュア液Ｍに浸っており、マニキュア液Ｍを爪に塗布するときは、キャップ３を容器２から外し、通常位置のままで塗布ブラシ５３ａに浸透したマニキュア液Ｍを爪に塗布すればよい。また、塗布途中で、マニキュア液Ｍを塗布ブラシ５３ａに追加するときは、キャップ３を容器２に装着して塗布ブラシ５３ａをマニキュア液Ｍに浸して、再度キャップ３を容器２から外すようにしてもよいが、簡単な押し操作により、押しボタン部材５を前進位置にすることで、キャップ３を容器２に装着せずに塗布ブラシ５３ａにマニキュア液Ｍを付着させることができる。
【００２７】
なお、バネ部材６は、キャップ本体４と押しボタン部材５との間に配設されて、その長さ方向がキャップ本体４及び押しボタン部材５の軸方向（スライド方向）と一致しておれば、具体的な配設場所は限定されない。また、シール部材７は、キャップ本体４と押しボタン部材５との間に配設されて、少なくとも押しボタン部材５が通常位置のときに押しボタン部材５とキャップ本体４との間に形成される隙間を閉塞できれば、具体的な配設場所は限定されない。例えば、図６のように、押しボタン部材５のスライド部５１にカバー部５４を連設した場合、キャップ本体４の上方壁部４ａとカバー部５４の内壁天井面の間にバネ部材６及びシール部材７を配設して、押しボタン部材５を付勢し、かつ、押しボタン部材５とキャップ本体４との間に形成された間隙４０ｄを閉塞することも可能である。バネ部材６とシール部材７のそれぞれ一つずつを、キャップ本体４の上方壁部４ａの上面とカバー部５４の内壁天井面の間と、キャップ本体４の下方壁部４ｃの上面とスライド部５１の下面との間と、に配設することも可能である。
【００２８】
また、蛇腹状のシール部材７にかえて、図７に示すような弾性体（例えば、合成ゴム）のシール部材７’を適用することも可能である。この場合、例えば、図８のように、押しボタン部材５（具体的にはスライド部５１）の側面に環状の突出部５５を設ける。この弾性体のシール部材７’は、環状形状の両端７ｃ’、７ｄ’のいずれかをキャップ本体４か押しボタン部材５に固着しておき、押しボタン部材５が通常位置になったときバネ部材６によって押しボタン部材５を付勢し、キャップ本体４との間でシール部材７’を隙間なく密着して挟み込む。なお、図７に示す突出部５５は、ピン取付突出部５２ｂとしても用いられている。
【００２９】
以上、本発明の実施形態に係るマニキュア液塗布具について説明したが、本発明は、上述の実施形態に記載したものに限られることなく、特許請求の範囲に記載した事項の範囲内でのさまざまな設計変更が可能である。例えば、容器２やキャップ３の形状は好みに合わせて種々のものが可能である。また、掛止部４２を押しボタン部材５側に、ピン５２ａをキャップ本体４側に設けることも可能である。また、押しボタン部材５の押し操作毎に交互に変わる通常位置と前進位置とを保持する機構を、上記以外のものにすることも場合によっては可能である。また、キャップ本体４が容器２に密着して装着されるのならば、雄ねじ２１と雌ねじ４１によらない装着も場合によっては可能である。
【符号の説明】
【００３０】
１    マニキュア液塗布具
２    容器
２ａ  容器２の開口部
３    キャップ
４    キャップ本体
４ａ  キャップ本体の上部挿通孔
４ｂ  キャップ本体の下方壁部
４ｃ  キャップ本体の側壁部
４０ａ  キャップ本体の上部挿通孔
４０ｂ  キャップ本体の内空部
４０ｃ  キャップ本体の下部挿通孔
４２  掛止部
５    押しボタン部材
５１  スライド部
５２  被掛止部
５３  塗布軸
５３ａ  塗布ブラシ
６    バネ部材
７、７’  シール部材
Ｍ    マニキュア液
【図１】
2012120550.tif 000003
【図２】
2012120550.tif 000004
【図３】
2012120550.tif 000005
【図４】
2012120550.tif 000006
【図５】
2012120550.tif 000007
【図６】
2012120550.tif 000008
【図７】
2012120550.tif 000009
【図８】
2012120550.tif 000010